(57)【要約】      （修正有）【課題】イン／アウトドアで、状況に応じて高音質の音楽データ又は小容量の圧縮データとを視聴する。【解決手段】ダウンロード指定を検知したら、ステーション３のＨＤＤ曲管理テーブルに記憶されたセクタＮｏ−Ａパラメータを決定し、セクタＮｏ−Ａパラメータ、タイトル名等をステーション３のＨＤＤ曲管理テーブル記憶手段に記録。Ｓ４５で配信サーバに指定曲の音楽データ配信を要求。Ｓ４６で配信サーバから音楽データをダウンロードしステーションのＨＤＤに記録。ダウンロード終了後Ｓ４８に進む。Ｓ４８でプレーヤ５のＨＤＤ曲管理テーブルの記録するセクタＮｏ−Ｂパラメータを決定し、セクタＮｏ−Ｂパラメータと、タイトル名等をプレーヤの記録媒体曲管理テーブルに記録。Ｓ４９でステーション３に、Ｓ４６でダウンロードした音楽データを送信要求し、取得データを記録媒体のセクタＮｏ−Ｂ位置から記録。ステップＳ５０でダウンロード処理を終了。【選択図】図８
2005093001.tif 000002
【特許請求の範囲】
【請求項１】
互いに連携可能なステーションとプレーヤとを有する情報データ再生装置であって、
前記ステーションは、ネットワークと通信可能な第１の通信手段と、前記プレーヤと通信可能な第２の通信手段と、情報データを取得するための制御を行う第１の制御手段と、前記第１の制御手段の制御により前記第１の通信手段を介して取得した第１の情報データを記憶する第１の記憶手段と、該第１の記憶手段に記憶されている情報データを再生する第１の再生手段と、を有し、
前記プレーヤは、前記ステーションと通信可能な第３の通信手段と、情報データを取得するための制御を行う第２の制御手段と、前記第１の情報データの取得に応じて、前記第２の制御手段の制御により前記第３の通信手段を介して取得した前記第１の情報データに対応する第２の情報データを記憶する第２の記憶手段と、該第２の記憶手段に記憶されている情報データを再生する第２の再生手段と
を有する情報データ再生装置。
【請求項２】
前記第１及び第２の制御部は、前記ステーションと前記プレーヤとの接続を監視し、互いが接続されているときに、前記第２の通信手段と前記第３の通信手段とを介して前記第１の記憶手段と前記第２の記憶手段とに記憶されたデータを同期させる制御を行うことを特徴とする請求項１に記載の情報データ再生装置。
【請求項３】
前記第１制御手段は、前記第１通信手段により取得した情報データを変換せずに前記第１の記憶手段に記憶させる制御を行い、前記第２の制御手段は、前記情報データをデータ容量が小さくなる方向に変換して前記第２の記憶手段に記憶させる制御を行うことを特徴とする請求項１又は２に記載の情報データ再生装置。
【請求項４】
前記ステーション又は前記プレーヤのうち少なくとも一方は、さらに、前記情報データをエンコードするエンコーダを備えていることを特徴とする請求項１から３までのいずれか１項に記載の情報データ再生装置。
【請求項５】
前記第１及び第２の制御手段は、前記第２の通信手段と前記第３の通手段とが通信可能な状態においては、前記第１の記憶手段に記憶された情報データに基づいて前記第２の通信手段から前記第３の通信手段に送られた情報データを再生する制御を行う制御モードを有していることを特徴とする請求項１から４までのいずれか１項に記載の情報データ再生装置。
【請求項６】
前記第１の記憶手段に記憶された情報データは非圧縮データであり、前記第２の記憶手段に記憶された情報データは圧縮データであることを特徴とする請求項１から５までのいずれか１項に記載の情報データ再生装置。
【請求項７】
さらに、前記プレーヤは、前記第１の記憶手段及び前記第２の記憶手段に記憶された情報データの属性情報テーブルを記憶する第１の属性情報記憶部を有していることを特徴とする請求項１から６までのいずれか１項に記載の情報データ再生装置。
【請求項８】
さらに、前記ステーションは、前記第１の記憶手段に記憶された情報データの属性情報テーブルを記憶する第２の属性情報記憶部を有していることを特徴とする請求項７に記載の情報データ再生装置。
【請求項９】
さらに、前記プレーヤは、第１の属性情報記憶部に記憶された情報データの属性情報テーブルのうち所定の属性情報を前記第２の通信手段と前記第３の通信手段とを介して送信することを特徴とする請求項１から８までのいずれか１項に記載の情報データ再生装置。
【請求項１０】
さらに、前記ステーションは、前記第２の通信手段と前記第３の通信手段とを介して受信した前記プレーヤにおける前記属性情報をもとに前記第１の記憶手段に記憶された情報データを呼び出すことを特徴とする請求項１から９までのいずれか１項に記載の情報データ再生装置。
【請求項１１】
さらに、前記プレーヤは、前記ステーションの操作を行うことができる操作部を有していることを特徴とする請求項１から１０までのいずれか１項に記載の情報データ再生装置。
【請求項１２】
さらに、前記プレーヤは、前記操作部により第１の属性情報記憶部に記憶された情報データの属性情報テーブルより所定の属性情報を決定することを特徴とする請求項１から１１までのいずれか１項に記載の情報データ再生装置。
【請求項１３】
前記第１および第２の属性情報記憶部に記憶された情報データの属性情報パラメータは情報データを識別する表示データおよび前記第１および第２の記憶手段に記憶された情報データの記憶位置データであることを特徴とする請求項１から１２までのいずれか１項に記載の情報データ再生装置。
【請求項１４】
さらに、前記プレーヤは、前記ステーション又は前記プレーヤにより再生されている情報データに関連する情報を表示する表示部を有していることを特徴とする請求項１から１３までのいずれか１項に記載の情報データ再生装置。
【請求項１５】
プレーヤと連携可能な情報データ再生用ステーションであって、ネットワークと通信可能な第１の通信手段と、前記プレーヤと通信可能な第２の通信手段と、情報データを取得するための制御を行う第１の制御手段と、前記第１の制御手段の制御により前記第１の通信手段を介して取得した第１の情報データを記憶する第１の記憶手段と、該第１の記憶手段に記憶されている情報データを再生する第１の再生手段と、を有し、
前記第１制御手段は、前記第１通信手段により取得した情報データを変換せずに前記第１の記憶手段に記憶させる制御を行うとともに、前記情報データをデータ容量が小さくなる方向に変換して前記プレーヤに送る制御を行うことを特徴とする情報データ再生用ステーション。
【請求項１６】
ステーションと連携可能なプレーヤであって、前記ステーションと通信可能な第３の通信手段と、情報データを取得するための制御を行う第２の制御手段と、前記第１の情報データの取得に応じて、前記第２の制御手段の制御により前記第３の通信手段を介して取得した前記第１の情報データに対応する第２の情報データを記憶する第２の記憶手段と、該第２の記憶手段に記憶されている情報データを再生する第２の再生手段と、を有するプレーヤ。
【請求項１７】
前記第２の記憶手段は、前記ステーションが取得した情報データをデータ容量が小さくなる方向に変換したデータを記憶することを特徴とする請求項１６に記載のプレーヤ。
【請求項１８】
さらに、前記第１の記憶手段及び前記第２の記憶手段に記憶された情報データの属性情報を記憶する第１の属性情報記憶部を有していることを特徴とする請求項１６または１７に記載のプレーヤ。
【請求項１９】
さらに、前記ステーションの操作を行うことができる操作部を有していることを特徴とする請求項１６から１８までのいずれか１項に記載のプレーヤ。
【請求項２０】
さらに、前記ステーション又は前記プレーヤにより再生されている情報データに関連する情報を表示する表示部を有していることを特徴とする請求項１６から１９までのいずれか１項に記載のプレーヤ。
【請求項２１】
互いに連携可能なステーションとプレーヤとを含むシステムにおける情報データ再生方法であって、
ネットワーク上の情報データ配信サイトに接続するステップと、
ダウンロード指定された情報データとその属性情報とを取得するステップと、
指定された情報データのダウンロード処理を行い、ステーションに非圧縮のままで転送するステップと、
前記情報データの属性情報をプレーヤに転送するステップと、
ダウンロードした情報データを圧縮するステップと、
圧縮された前記情報データを前記プレーヤに送るステップと、
前記非圧縮データと前記圧縮データのいずれかを、前記ステーションと前記プレーヤとの間の通信状況に応じて選択し再生するステップと
を有する情報データ再生方法。
【請求項２２】
前記非圧縮データと前記圧縮データのいずれかを、前記ステーションと前記プレーヤとの間の通信状況に応じて選択し再生するステップは、
通信が可能な場合には、前記非圧縮データを選択し再生するステップを含み、通信が不能な場合には、前記圧縮データを優先的に選択し再生するステップを含むことを特徴とする請求項２１に記載の情報データ再生方法。
【請求項２３】
請求項２１又は２２に記載のステップを実行させるためのプログラム。
【請求項２４】
第１の通信手段と、情報データを取得するための制御を行う第１の制御手段と、前記第１の制御手段の制御により前記第１の通信手段を介して取得した第１の情報データを記憶する第１の記憶手段と、該第１の記憶手段に記憶されている情報データを再生する第１の再生手段と、を有する第１の再生装置と、
該第１の再生装置と通信可能な第２の通信手段と、情報データを取得するための制御を行う第２の制御手段と、前記第１の情報データの取得に応じて、前記第２の制御手段の制御により前記第２の通信手段を介して取得した前記第１の情報データに対応する第２の情報データを記憶する第２の記憶手段と、該第２の記憶手段に記憶されている情報データを再生する第２の再生手段と、を有する第２の再生装置と
を有する情報データ再生装置。
【請求項２５】
前記第１の記憶手段に記憶されている情報データは非圧縮の情報データであり、前記第２の記憶手段に記憶されている情報データは圧縮された情報データであることを特徴とする請求項２４に記載の情報データ再生装置。
【請求項２６】
請求項１から２５までのいずれか１項に記載の前記情報データは音楽データとし、前記プレーヤ及び前記ステーションにオーディオ出力手段を設けたことを特徴とする情報データ再生装置。
【請求項２７】
請求項１から２５までのいずれか１項に記載の前記情報データを映像データとし、前記プレーヤ及び前記ステーションに映像出力手段を設けたことを特徴とする情報データ再生装置。
【請求項２８】
請求項１から２７までのいずれか１項に記載のプレーヤを携帯電話機とした情報データ再生装置。
【発明の詳細な説明】
【技術分野】
【０００１】
本発明は、情報データ再生技術に関し、特に、インドアでもアウトドアでも良質な情報データを視聴可能な情報データ再生技術に関する。
【背景技術】
【０００２】
インターネット及び無線通信技術の発展に伴い、音楽コンテンツなどの音声情報を、インドアでもアウトドアでも楽しめるようになってきている。加えて、比較的大容量の記憶媒体としてハードディスクドライブ（以下、「ＨＤＤ」と称する。）や記録可能なＤＶＤディスクなどが一般的に用いられるようになったことにより、数ＧＢから数１００ＧＢまでの大容量データを記憶することが可能になった。上記の技術的な発展に支えられて、インターネットなどを介した音楽配信サービスも行われるようになってきている。
【０００３】
これに関連する技術として、例えば、インターネットと接続可能なネットワークインターフェイスと、インターネットからダウンロードした楽曲データ及びメンテナンスに関する履歴情報を記録するためのＨＤＤ（以下、単に「ＨＤＤ」と称する）と、半導体メモリカードに記録された楽曲データをステーションから再生するためのアンプ・スピーカと、後述するプレーヤと通信を行うための有線通信部と無線通信部とを備えたステーションと、ダウンロードした圧縮の楽曲データを記録するためのメモリカードインターフェイスと、メモリカードに記録された楽曲データであってプレーヤにより再生された楽曲データを視聴するためのヘッドフォン端子と、ステーションと通信するための有線通信部及び無線通信部とを備えたプレーヤからなるオーディオ装置が開示されている（例えば、特許文献１参照）。上記装置を用いると、インドアでもアウトドアでも、ダウンロードした楽曲を視聴することが可能である。
【特許文献１】特開２００３−６６９７４号公報
【発明の開示】
【発明が解決しようとする課題】
【０００４】
上記装置における楽曲データの再生において、ステーションとプレーヤとの間で無線通信を行うことにより、プレーヤに備えられたメモリカードから非圧縮の楽曲データをステーションに呼び出してスピーカにより再生することができる。しかしながら、このような操作を行うと無線通信のトラフィックが大きくなってしまうという問題がある。すなわち、上記装置において、例えば、ダウンロードした楽曲データを高音質、すなわちデータサイズが大きい状態で視聴しようとすると、半導体メモリカードの最大記憶容量に起因する記憶局数に関する制限を受けるという問題があった。すなわち、メモリカードに記憶できる曲数と音質とはトレードオフの関係にある。
【０００５】
本発明は、特に、プレーヤにより楽曲データを視聴する際に、多くの選択対象楽曲中から所望の曲を高音質で視聴可能なオーディオ再生技術を提供することを目的とする。
【課題を解決するための手段】
【０００６】
本発明の一観点によれば、互いに連携可能なステーションとプレーヤとを有する情報データ再生装置であって、前記ステーションは、ネットワークと通信可能な第１の通信手段と、前記プレーヤと通信可能な第２の通信手段と、情報データを取得するための制御を行う第１の制御手段と、前記第１の制御手段の制御により前記第１の通信手段を介して取得した第１の情報データを記憶する第１の記憶手段と、該第１の記憶手段に記憶されている情報データを再生する第１の再生手段と、を有し、前記プレーヤは、前記ステーションと通信可能な第３の通信手段と、情報データを取得するための制御を行う第２の制御手段と、前記第１の情報データの取得に応じて、前記第２の制御手段の制御により前記第３の通信手段を介して取得した前記第１の情報データに対応する第２の情報データを記憶する第２の記憶手段と、該第２の記憶手段に記憶されている情報データを再生する第２の再生手段と、を有するプレーヤとを有する情報データ再生装置が提供される。
【０００７】
前記情報データ再生装置によれば、前記ステーションによる前記第１の情報データの取得に応じて、前記プレーヤにおいて、前記第２の制御手段の制御により前記第３の通信手段を介して取得した前記第１の情報データに対応する第２の情報データを記憶する第２の記憶し、記憶されている情報データを再生することができる。従って、プレーヤは、状況に応じて第１の情報データと第２の情報データとの両者を再生することができる。
【０００８】
前記第１及び第２の制御部は、前記ステーションと前記プレーヤとの接続を監視し互いの接続が検知されると、前記第２の通信手段と前記第３の通信手段とを介して前記第１の記憶手段と前記第２の記憶手段とに記憶されたデータを同期させる制御を行うことが好ましい。これにより、前記ステーションと前記プレーヤとの接続時に自動的に両者のデータが同期するため、ユーザは操作に関して意識することなく、データを第１の記憶手段と第２の記憶手段とに記憶させることができる。前記第１制御手段は、前記第１通信手段により取得した情報データを変換せずに前記第１の記憶手段に記憶させる制御を行い、前記第２の制御手段は、前記情報データをデータ容量が小さくなる方向に変換して前記第２の記憶手段に記憶させる制御を行うことが好ましい。これにより、比較的小容量のデータをプレーヤに記憶させ、ステーションとプレーヤとの通信状況に応じて、データ容量の大小すなわち情報データの品質は変化するものの、好みのデータを再生することができる。
【発明の効果】
【０００９】
本発明のオーディオ再生技術を用いると、大容量の記憶装置を備えたステーションと、比較的容量の小さい記憶装置を備えたプレーヤと、に同じ音楽データを、前者は非圧縮で後者は圧縮で保存し、ステーションとプレーヤとの間を無線通信可能にすることにより、両者の間が無線通信可能な場合には高音質の非圧縮データを視聴し、両者の間が無線通信できない場合には圧縮データを視聴することにより、いつでもどこでも、かつ、可能な限り高音質の音楽を視聴することができる。
【発明を実施するための最良の形態】
【００１０】
また、ステーションとは、一般的には、ＰＤＡ（Ｐｅｒｓｏｎａｌ  Ｄｉｇｉｔａｌ  ａｓｓｉｓｔａｎｔ）などの携帯情報端末に付属するスタンド型の拡張機器を指し、携帯情報端末と有線通信または無線通信によりデータ交換を行い機能を拡張するものである。      
【００１１】
また、アウトドアとは外出先、インドアとは家の中を言う用語である。発明者は、ステーションに、例えば、３.５インチの一般的なＨＤＤなどの大容量記憶媒体を設け、プレーヤには一般的な３.５インチＨＤＤよりは記憶容量が小さいノートＰＣ用の２.５インチや１．８インチＨＤＤやフラッシュメモリなどの小型化に優れる小型軽量の記憶媒体（以下、「記憶媒体」と称する。）を設けておき、ダウンロードした音楽を保存する場合には大容量記憶媒体に非圧縮（低圧縮処理された場合を含む）で保存するとともに、同じ楽曲データを圧縮処理した後に小容量の記憶媒体に記憶させることを考えた。
【００１２】
楽曲データを再生する場合には、アウトドアではプレーヤ単体のみでの使用が可能な小容量の記憶媒体に保存された楽曲データに基づいて再生を行う。但し、プレーヤとステーションとが通信可能な状態であれば、プレーヤを用いて視聴したい曲を選択するとともに、プレーヤからステーションに再生コマンドを送信し、大容量記憶媒体に保存されている高音質の楽曲データを再生する選択も可能である。すなわち、この場合には、ステーションに設けられたスピーカにより視聴しても良いし、プレーヤに設けられたスピーカ又はヘッドフォンにより視聴しても良い。プレーヤ単体で圧縮データを視聴する選択もある。プレーヤにより選曲を行い、ステーションに再生を行わせることも可能である。
【００１３】
上記技術を用いることにより、インドアモード、アウトドアモードのいずれにも対応可能であり、また、ステーションとプレーヤとの間の通信が可能であれば、アウトドアでもインドアでもプレーヤにより高音質の楽曲データの視聴を楽しめる。
【００１４】
以下、上記考察に基づいて、本発明の第１の実施の形態によるオーディオ再生技術について、図面を参照しつつ説明を行う。図１は、本実施の形態によるオーディオ再生システムの概略構成を示す図である。図２は、ステーションの構成例を示す機能ブロック図である。図３は、プレーヤの構成例を示す機能ブロック図である。図４は、プレーヤ部の動作の流れを示すフローチャート図である。図５は、再生中の自動音声切替処理の流れを示すフローチャート図である。図６は、再生処理の流れを示すフローチャート図である。図７は、音出力変更操作設定処理の流れを示すフローチャート図である。図８は、ダウンロード操作の流れを示すフローチャート図である。図９は、各使用モードと有効キーとの対応関係を示す図である。図１０は、各使用モードと再生との関係を示す図であり、図１１は、ＨＤＤ内において管理されている曲管理テーブルの例を示す図である。
【００１５】
図１に示すように、本実施の形態によるオーディオ再生システムは、例えば左右のスピーカ１−ａ・１−ｂと、ステーション３と、スピーカ１−ａ・１−ｂとステーション３とを接続するケーブル２−ａ・２−ｂと、プレーヤ５と、プレーヤ５に着脱可能に取り付けられるヘッドフォン８とを有している。プレーヤ５には、例えば操作キー６と、ＬＣＤ表示部７とが設けられている。ユーザは、状況によって又は好みによって、スピーカ１−ａ・１−ｂから楽曲を視聴することも、ヘッドフォン８により楽曲を視聴することも可能である。但し、一般的にはスピーカ５からの出力特性の方がヘッドフォンからの出力特性よりも良質であるため、インドアではスピーカからの視聴が主となる。一般的には、ステーション３とプレーヤ５の通信が確立しているときには、両者間のデータの同期がとれるようになっている。
【００１６】
図２は、本実施の形態によるオーディオ再生システムに含まれるステーション３の構成例を示す機能ブロック図である。図１及び図２に示すように、本実施の形態によるステーション３は、プレーヤ５との間で通信を行うために用いられるアンテナ１０１と、アンテナ１０１からオーディオデータ及びコントロール信号を送受信するために設けられたプレーヤ通信部１１１と、インターネットなどのコンテンツをダウンロードするためのコンテンツサーバへアクセスしネットワーク網１０２からインターネットデータパケットを受信するとともに、コンテンツサーバからインターネットを介してデータを取得するための要求信号を送るインターネット通信部１１２と、を含む通信部１１０と、大容量の記憶媒体であって楽曲データを記録する例えば３．５インチのＨＤＤ１０４と、このＨＤＤ１０４に接続される管理部１２０であってＨＤＤ１０４からのデータの読み出しとＨＤＤ１０４へのデータの読み出しを行うＨＤＤ読み出し・書き込み部１２１と、ＨＤＤ内のデータの管理を行うＨＤＤ管理テーブル記憶手段１２２とを含む管理部１２０とを有している。プレーヤ通信部１１１には、現在の通信状態を検出するための通信状態検出部１１１ａが設けられている。
【００１７】
さらに、ステーション３には、楽曲データのエンコードを行うエンコーダ１３１と、プレーヤ１３２と、アンプ１３３と、を含むオーディオ信号作成部１３０と、アンプ１３３に接続されるスピーカ１３４と、音楽配信著作権管理部１４１とダウンロード制御部１４２とを有する管理部１４０が設けられている。また、上記各構成は、それらを互いに関連付けするバスライン１０３により接続されている。
【００１８】
図３は、本実施の形態によるプレーヤの構成例を示す機能ブロック図である。図３に示すように、本実施の形態によるプレーヤ５は、ステーション３との間で通信を行うためのアンテナ２０１と、アンテナ２０１を介してオーディオデータ及びコントロール信号をプレーヤとやり取りするためのステーション通信部２１１と、楽曲データを記録するメモリカード又は２．５インチのＨＤＤ２２３（以下、上述のように「記憶媒体」と称するが、図３ではＨＤＤと記載されている。）と、この記憶媒体２２３に接続される管理部２２０であって記憶媒体２２３からのデータの読み出しと記憶媒体２２３へのデータの読み出し、書き込みを行う記憶媒体読み出し・書き込み部２２１と、記憶媒体内のデータの管理を行う記憶媒体管理テーブル記憶手段２２２とを含む管理部２２０とを有している。
【００１９】
さらに、楽曲データのデコードを行うデコーダ２３１と、プレーヤ２３２と、アンプ２３３とを含むオーディオ信号作成部２３０と、アンプ２３３にインターフェイス部２３４を介して接続されるヘッドフォン２３５と、表示部を形成するＬＣＤ２４１と、ＬＣＤ２４１による表示をコントロールするＬＣＤコントローラー２４２と、ＬＣＤ２４１に表示されるグラフィックユーザインターフェイス（ＧＵＩ）部２４３と、各種操作を行うための操作キー２４４とが設けられたＧＵＩタスク部２４０と、を有している。さらに、上記各構成は、それらを互いに関連付けするバスライン２０３により接続されている。
【００２０】
図４に示すように、本実施の形態によるオーディオ記録再生機器においては、まず、ステップＳ１においてパワーオンする。ステップＳ２において、オーディオタスク、ＨＤＤタスク、ＧＵＩタスク、通信タスクを起動する。ステップＳ３において、ＬＣＤ表示部にＧＵＩを表示させる。次に、再生中のモード変更処理を行う。ステップＳ４において、ステーションとプレーヤとの接続が変化したか否かを調べる。ステップＳ４において接続が変化したと判断された場合には、ステップＳ５において楽曲データを再生中であるか否かを判断する。ステップＳ４において接続が変化していないと判断された場合には、後述するステップＳ７に進む。ステップＳ５において、楽曲データを再生中と判断された場合には、ステップＳ６に進み、音声切替え処理を行う。ステップＳ５において楽曲データを再生中でない場合にも、ステップＳ７に進む。
【００２１】
これらの再生中のモード変更処理後に、ステップＳ７においてキー操作があったか否かを判断する。ステップＳ７においてキー操作があったと判断された場合であって、パワーオフ以外のキー操作であった場合には、ステップＳ８で各モード処理に進む（ステップＳ４に戻る）。ステップＳ７において、キー操作があったと判断された場合であって、パアーオフである場合には、ステップＳ９においてパワーオフ処理を行う。ステップＳ７においてキー操作なしと判断された場合にも、ステップＳ４に進む。以上のように、再生中のモード変更処理を行いつつ、キー操作などにより各モード処理へと進む。
【００２２】
図５は、再生中の自動音声切替処理の流れを示すフローチャート図である。図５に示すように、まず、ステップＳ１１において自動音声切替処理を開始し、現在の動作モードがインドアモードであるかアウトドアモードであるかを判断する。ステップＳ１２において、現在の動作モードがインドアモードであれば、ステップＳ１３に進み、選択された曲のセクタＮｏ-Ａパラメータ、現在の再生位置を指定してステーションに所望の音楽データを無線送信要求して再生する。ステップＳ１２において、現在の動作モードがインドアモードであれば、ステップＳ１４に進み、選択された曲のセクタＮｏ-Ｂパラメータ、現在の再生位置を指定してプレーヤの記憶媒体内に記憶されている音楽データのうち所望の音楽データを呼び出して再生する。次いで、ステップＳ１５において、ステップＳ１３又はステップＳ１４のステップのいずれかに応じた音声出力の切替処理（継続再生）を行い、ステップＳ１６において動作モードを保存し、ステップＳ１７において再生中の自動音声切替処理を終了する。
【００２３】
図６は、再生処理の流れを示すフローチャート図である。ステップＳ２１において処理を開始する。ステップＳ２２において、現在の動作モードについて判断する。ステップＳ２２において、インドアモードと判断された場合には、ステップＳ２３に進み、アウトドアモードと判断された場合にはステップＳ２６に進む。ステップＳ２３において、現在の再生出力設定について判断する。ステップＳ２３において出力設定が無線伝送及びヘッドフォンの場合には、ステップＳ２４に進む。出力設定がスピーカであれば、ステップＳ２５に進む。
【００２４】
ステップＳ２４においては、選択された曲のセクタＮｏ−Ａパラメータを指定してステーションに所望の音楽データの無線送信要求を行い再生する。ステップＳ２５においては、選択された曲のセクタＮｏ−Ａパラメータを指定してステーションに所望の音楽データをスピーカで再生要求する。ステップＳ２６においては、セクタＮｏ−Ｂパラメータを指定してプレーヤの記憶媒体中の所望の音楽データを呼び出し再生する。その後に、ステップＳ２７において音声出力を開始し、ステップＳ２８において処理を終了する。
【００２５】
図７は、音出力変更操作設定処理の流れを示すフローチャート図である。ステップＳ３１において、現在の再生出力について判断する。現在の再生出力が無線伝送及びヘッドフォンの場合には、ステップＳ３３においてスピーカ出力に設定し（音出力を変更）、ステップＳ３４においては無線伝送及びヘッドフォンに設定し（音出力を変更）、ステップＳ３５において処理を終了する。
【００２６】
図８は、音楽ダウンロード操作の流れを示すフローチャート図である。ステップＳ４１において、オーディオ再生装置がダウンロード処理を開始する。ステップＳ４２において、インターネット上の音楽配信サイトに接続され、配信曲一覧をＬＣＤ表示部に表示する。ステップＳ４３において、ダウンロードの指示（指定）がなされたか否かを監視し、ダウンロード指定がなされたことを検知した場合にステップＳ４４に進み、ステーション３のＨＤＤ曲管理テーブルに記憶されたセクタＮｏ−Ａパラメータを決定し、セクタＮｏ−Ａパラメータ、タイトル名、アーティスト名をステーション３のＨＤＤ曲管理テーブル記憶手段に記録する。
【００２７】
ステップＳ４５において配信サーバに指定された曲の音楽データの配信を要求する。次いで、ステップＳ４６において、配信サーバから音楽データをダウンロードしステーションのＨＤＤに記録する。ステップＳ４７においてダウンロードが終了したか否かを監視し、ダウンロードが終了していればステップＳ４８に進む。ステップＳ４８において、プレーヤ５のＨＤＤ曲管理テーブルの記録するセクタＮｏ−Ｂパラメータを決定し、セクタＮｏ−Ｂパラメータを決定し、セクタＮｏ−Ｂパラメータと、タイトル名、アーティスト名をプレーヤの記録媒体曲管理テーブル記憶手段に記録する。次いで、ステップＳ４９において、ステーション３に、ステップＳ４６においてダウンロードした音楽データをエンコード処理及び送信要求し、取得データをプレーヤの記録媒体のセクタＮｏ−Ｂ位置から記録する。ステップＳ５０においてダウンロード処理を終了する。
【００２８】
以上により、ダウンロードした音楽データは、非圧縮の状態でステーション３のＨＤＤに記録されるとともに、音楽データを圧縮処理したデータがプレーヤ５の記録媒体に記録される。さらに、セクタＮｏ−Ｂパラメータと、タイトル名、アーティスト名がプレーヤの記録媒体曲管理テーブル記憶手段に記録される。
【００２９】
尚、インターネットからの音楽データをダウンロードする時に、音楽データに加えて、その音楽のアーティストのジャケット画像など関連する画像データもダウンロードし、プレーヤ５側のＨＤＤに保存しておくことも可能である。音楽データの再生時には、その再生に合わせてＬＣＤに画像を表示させることも可能である。音楽と画像とを合わせて表示すると、アウトドアでもインドアでも画像を楽しみながら音楽再生を行うことができる。
【００３０】
図９は、インドアモードとアウトドアモードの使用モードと有効キー（操作）との対応関係を示す図である。図９に示すように、インドアモードでは、プレイ操作と、音出力変更操作と、ダウンロード操作とストップ操作とリスト操作とが可能である。アウトドアモードでは、プレイ操作とストップ操作とリスト操作とが可能である。音出力変更操作とダウンロード操作はできないようになっている。
【００３１】
インドアモードでのプレイ操作は、ステーション３のＨＤＤ又はプレーヤ５の記録媒体のいずれかであって、音出力選択の指定されている方で再生することができる。アウトドアモードでのプレイ操作では、プレーヤ５の記録媒体に記憶されている音楽のみを再生させることができる。但し、ステーション３とプレーヤ５とが通信可能な状態においては、ステーション３に記憶されている音楽データを再生し高音質の楽曲を楽しむことも可能である。音出力変更操作は、スピーカ１−ａ・１−ｂとヘッドフォン８のいずれかを選択する操作であり、インドアモードにおいてのみ操作可能である。ダウンロード操作は、インドアモードにおいてのみ可能なのが一般的であるが、ステーション３とプレーヤ５とが通信可能状態であれば、プレーヤ５からステーション３にダウンロードを指示しても良いし、プレーヤ５でダウンロードした曲をステーション３に送信しても良い。
【００３２】
インドアモード及びアウトドアモードのいずれも、ステップ操作は可能である。特に、再生中にストップする操作とダウンロード中のストップとが可能である。インドアモード及びアウトドアモードのいずれも、リスト操作は可能である。この際、ステーションのＨＤＤとプレーヤのＨＤＤの音楽リストを常に同期させておくのが好ましい。これにより、非圧縮の音楽データと圧縮された音楽データとの対応付けが可能となる。このように、ダウンロード処理に応じて又はユーザの意思又はあるタイミングで同期がとられるようになっているのが好ましい。
【００３３】
図１０は、各使用モードと再生との関係を示す図であり、インドアモードとアウトドアモードとに関して、スピーカ再生と、ヘッドフォン再生と、ヘッドフォン再生（無線伝送モード）とが含まれる。スピーカ再生では、プレーヤからステーションのＨＤＤの指定音楽を呼び出し、スピーカから再生する。ヘッドフォン再生では、プレーヤからプレーヤの記録媒体の指定音楽を呼び出し、ヘッドフォンから再生する。この再生は、アウトドアにおける再生であって無線を用いない再生に対応し、省電力モードでの再生と考えることもできる。ヘッドフォン再生（伝送）の場合には、プレーヤからステーションＨＤＤの指定音楽を呼び出し、プレーヤへ無線伝送してヘッドフォンから再生することも可能である。ステーションＨＤＤからの例えば非圧縮の音楽データを再生し、これを無線通信によりプレーヤに取得して視聴すれば、高音質の音楽を楽しむことも可能である。
【００３４】
インドアモードでの再生は、ステーション３のＨＤＤ内の指定音楽を呼び出してスピーカ１から再生する再生Ａモードと、プレーヤ５からステーション３のＨＤＤ内の指定音楽を呼び出してプレーヤ５へ無線伝送を行い、ヘッドフォン８から再生する再生Ｃモードの２種類の再生を行うことができる。再生Ａモードでは、プレーヤ５からステーション３への指示のための通信を再生開始時のみ行っても良く、この場合には再生時における省電力化が可能である。また、プレーヤ５に合わせてスピーカ１を設け、再生Ａと再生Ｃとを組み合わせることにより、より臨場感に溢れる再生を行うことも可能である。
【００３５】
アウトドアモードで再生している場合に、再生中にステーション３との接続を検出した時には、プレーヤ５はステーション３のＨＤＤに記憶されている同じタイトルの音楽データを呼び出し、この音楽データを無線伝送して再生するように切替えが行われるようにしても良い。或いは、インドアモードで再生しており、その再生中にステーション３との接続が切れた時は、プレーヤ５はプレーヤの記録媒体に記録されている同じタイトルの音楽データを呼び出して再生するよう再生が切り替わるように設定されていても良い。切り替わりの際には、同じタイトルの音楽データに切り替わるようにするのが好ましい。加えて、現在再生している時間位置も考慮して同じ時間位置から再生されるように制御すれば、再生がより一層スムーズになる。
【００３６】
尚、本実施の形態においては、オーディオ装置を例にして説明したが、例えば、ステーション３にテレビジョン受信装置などの表示モニタを備えた装置を繋げておき、合わせてプレーヤ５とステーション３とで映像コンテンツの記録・再生も処理が可能なように構成すれば、映画のように長時間のコンテンツ（大容量コンテンツ）を、インドアではインドア用の大画面表示装置で視聴し、アウトドアではプレーヤの画面でステーションとの通信により取得したテレビ放送データなどを高品質で継続して視聴することができ、臨場感豊かな放送をアウトドアでも場所を問わずに楽しむこともできる。この際、プレーヤで再生する場合には、映像をプレーヤに合った程度に圧縮することが好ましい。
【００３７】
図１１（Ａ）から（Ｄ）までは、ＨＤＤ内において管理されている曲管理テーブルの構成例を示す図である。図１１（Ａ）は、音楽データが記憶されているステーション側のＨＤＤの様子を示す図であり、図１１（Ｂ）は、ステーション側のＨＤＤ管理テーブルの構成例を示す図である。図１１（Ｃ）は、音楽データが記憶されているプレーヤ側のＨＤＤの様子を示す図であり、図１１（Ｄ）は、プレーヤ側の記憶媒体（ＨＤＤ）管理テーブルの構成例を示す図である。
【００３８】
図１１（Ｂ）に示すように、ステーション側のＨＤＤ管理テーブルには、その記憶セクタの番号（セクタＮｏ−Ａ）と、それに対応するタイトル名とアーティスト名とが記憶されており、図１１（Ｄ）に示すように、プレーヤ側の記憶媒体（ＨＤＤ）管理テーブルには、その記憶セクタの番号（セクタＮｏ−Ａ）と、ステーション側のＨＤＤに記憶されている記憶セクタの番号（セクタＮｏ−Ｂ）と、それに対応するタイトル名とアーティスト名とが記憶されている。プレーヤ側では、ステーション側に記憶されている非圧縮データを活用して高品質の音楽を視聴することもできる。プレーヤをインドアモードで用いる場合に、ステーションを操作するためのリモコンとして利用することも可能である。この場合にも、図１１（Ｄ）に示すプレーヤ側の記憶媒体の管理テーブルに記憶されるステーション側の楽曲データのセクタＮｏに関するデータを活用することができる。
【００３９】
尚、ステーション側のＨＤＤ管理テーブルをステーション側とプレーヤ側とに設けた例を示したが、プレーヤ側の記録媒体（ＨＤＤ）管理テーブルにステーション側のＨＤＤの曲管理情報が保存されている場合には、ステーション側のＨＤＤ管理テーブルは省略することも可能である。この場合には、インドアモードでもプレーヤをリモコンのようにステーションを制御するための制御端末として利用するのが好ましい。但し、バックアップ及び同期をとる観点から管理テーブルのデータを保存しておく方が好ましい場合もあるので、ユーザの利用形態に合わせて決めれば良い。
【００４０】
例えば、ステーション３から再生する場合には、その都度、ネットワークから認証を取得して再生するようにすれば、著作権の保護やセキュリテイの保護が可能になる。
【００４１】
本実施の形態の変形として上述のように、オーディオシステムの代わりにステーション３にはビデオ出力、プレーヤ５には液晶を設けたＡＶシステムを構成することもできる。ステーション３にビデオ出力を付けることにより、例えば、ビデオレコーダなどに音楽を録音することもできる。また、プレーヤ５に液晶パネルを付けることにより、音楽データの管理が容易になるという利点もある。
【００４２】
さらに、ステーション３には、高音質のデータが保存されているため、高音質データのバックアップ装置としてもステーション３を利用することもでき、プレーヤ５のデータが誤って消去された場合又は劣化した場合などに、ステーション３のデータに基づいて音楽データなどを復元（リストア）することができる。
【００４３】
この際、プレーヤ５側の記憶媒体にフォーマット機能を設けておくのが好ましい。フォーマット機能を用いてフォーマットを行った後においても、ステーション側ＨＤＤには高音質の音楽データが保存されているため、ステーション３側ＨＤＤに記憶されているそれぞれの音楽をエンコード処理しプレーヤに一括してデータ転送を行うことによりプレーヤ５側ＨＤＤの音楽データを復元するようにしても良い。
【００４４】
本発明の実施の形態によるオーディオ再生技術を用いると、大容量の記憶装置を備えたステーションと、比較的容量の小さい記憶装置を備えたプレーヤと、に同じ音楽データを、前者は非圧縮で後者は圧縮で保存し、ステーションとプレーヤとの間を無線通信可能にすることにより、両者の間が無線通信可能な場合には高音質の非圧縮データを視聴し、両者の間が無線通信できない場合には圧縮データを視聴することにより、いつでもどこでも、かつ、可能な限り高音質の音楽を視聴することができるという利点がある。
【００４５】
尚、上記の実施の形態においては、プレーヤ５からの音出力先はヘッドフォン端子８とした例について説明したが、プレーヤ５にスピーカ１を設けてスピーカ１から再生音楽を出力しても良いし、また、ヘッドフォン８とスピーカ１とを併用させても良い。
【００４６】
また、プレーヤ５がステーション３のリモコンを兼ねていても良いことは前述したが、ＨＤＤ管理テーブル記憶手段には、音楽データをダウンロードした場合に、タイトル名情報、そのアーティスト情報とＨＤＤにその音楽データを記録した位置（領域内のアドレス）情報が記録される。ＨＤＤ位置情報は、ステーション側のＨＤＤ管理テーブルにはステーションＨＤＤの記録位置情報が、プレーヤ側のＨＤＤ管理テーブルにはステーションＨＤＤの記録位置情報とプレーヤ記録媒体（ＨＤＤ）の記録位置情報が記録されているため、プレーヤ５からユーザの所望の音楽データを呼び出せるだけでなく、通信を通じてステーション３のＨＤＤ内の所望の音楽データを呼び出すこともできるようになっている。
【００４７】
プレーヤ側にインターネットなどへの接続機能又は情報取得機能を設け、プレーヤにより取得された情報をステーション側で再生しても良い。
【００４８】
さらに、ダウンロードに関しては、プレーヤ５からステーション３内にある音楽配信タスクを、無線通信を介して操作することができるようになっていても良い。すなわち、プレーヤ５はステーション３にある音楽配信タスクを無線通信により操作して行うことができるようにすれば、プレーヤ５は、ステーション３と通信可能な状態においてステーション３を遠隔操作することもできるリモコン機能を持たせることができる。このリモコン機能は、現在用いられている携帯電話機や無線通信機能を有するＰＤＡなどの携帯端末に対して、ステーション側に記憶されている音楽データ又は映像データなどを管理する機能と、これらのデータを再生する機能と、を付加することによっても実現することができる。
【００４９】
本発明の実施の形態においては、大容量の記憶装置を備えた装置をステーションと称し、比較的容量の小さい記憶装置を備えた装置をプレーヤと称したが、呼称によって対象が限定されるものではない。また、ステーション側に大容量の記憶装置を、プレーヤ側に比較的小容量の記憶装置を備えた例について説明したが、容量によりいずれの装置かを規定する場合に限定されるものではなく、むしろステーション側に非圧縮の情報データが、プレーヤ側に圧縮された情報データが記憶されている点によって規定することも可能である。
【産業上の利用可能性】
【００５０】
インドアとアウトドアとで、状況に応じて高音質の音楽データ又は小容量の圧縮データとを視聴することができる。ステーションに記憶されている、音楽に代えて又は音楽とともに、音楽以外の情報例えば映像データなどを視聴（再生）する場合に用いても良い。
【図面の簡単な説明】
【００５１】
【図１】本実施の形態によるオーディオ再生システムの概略構成を示す図である。
【図２】ステーションの構成例を示す機能ブロック図である。
【図３】プレーヤの構成例を示す機能ブロック図である。
【図４】プレーヤ部の動作の流れを示すフローチャート図である。
【図５】再生中の自動音声切替処理の流れを示すフローチャート図である。
【図６】再生処理の流れを示すフローチャート図である。
【図７】音出力変更操作設定処理の流れを示すフローチャート図である。
【図８】ダウンロード操作の流れを示すフローチャート図である。
【図９】各使用モードと有効キーとの対応関係を示す図である。
【図１０】各使用モードと再生との関係を示す図である。
【図１１】ＨＤＤ内において管理されている曲管理テーブルの例を示す図である。
【符号の説明】
【００５２】
１−ａ・１−ｂ…左右のスピーカ、２−ａ・２−ｂ…ケーブル、５…プレーヤ、６…操作キー、７…ＬＣＤ表示部。
【図１】
2005093001.tif 000003
【図２】
2005093001.tif 000004
【図３】
2005093001.tif 000005
【図４】
2005093001.tif 000006
【図５】
2005093001.tif 000007
【図６】
2005093001.tif 000008
【図７】
2005093001.tif 000009
【図８】
2005093001.tif 000010
【図９】
2005093001.tif 000011
【図１０】
2005093001.tif 000012
【図１１】
2005093001.tif 000013